(57)【要約】      （修正有）【課題】伝送される信号種類が異なるケーブル類が配線される電子機器において、ケーブル間に生ずるノイズを防止することが出来るケーブル保持具を提供する。【解決手段】ケーブル保持具４０は、アナログ信号が伝送されるばら線８０を保持するばら線保持部６０と、デジタル信号が伝送されるフラットケーブル７０を保持するフラットケーブル保持部５０と、シャーシに位置決め固定する係止片４２、或いはフック４３からなり、前記ばら線保持部６０は基部４１の両側壁６１を切り欠いて形成し、前記フラットケーブル保持部５０は複数の保持板５２を基部４１から延設し、且つフラットケーブル７０がシャーシ底板、またはシャーシ側板と接するようにばら線保持部６０とはＬ型、或いは平板状に形成した。【選択図】      図１
2006238557.tif 000002
【特許請求の範囲】
【請求項１】
配線した複数芯で構成するフラットケーブルと複数のばら線とを保持するケーブル保持具を備えた電子機器であって、前記ケーブル保持具の先端に前記フラットケーブルを互い違いに配置して挟持するスリット部を形成すると共に、前記先端の反対側に位置する後端側に前記複数のばら線を束ねた状態で保持する切り欠き部を形成したことを特徴とするケーブル保持具を備えた電子機器。
【請求項２】
前記ケーブル保持具をＬ字型に形成したことを特徴とする請求項１記載のケーブル保持具を備えた電子機器。
【請求項３】
前記ケーブル保持具を平板状に形成したことを特徴とする請求項１記載のケーブル保持具を備えた電子機器。
【請求項４】
前記ケーブル保持具の先端に係止ストッパを形成したことを特徴とする請求項１〜３の何れか１項に記載のケーブル保持具を備えた電子機器。
【発明の詳細な説明】
【技術分野】
【０００１】
本発明は、フラットケーブルや複数のばら線が配線される電子機器に関する。
【背景技術】
【０００２】
従来から、電子機器内にケーブル類を保持して配線するケーブル保持具として、特許文献１には「ケーブルホルダ」などがあり、この従来技術によれば、弾性を有する合成樹脂材からなり断面視溝型で長さ方向に延びる底面と互いに対向し並行する第１、第２の側壁とを備え、第１の側壁の長さ方向の端縁に突出されて両端に切り込みを有する係止片と、第２の側壁面に第１の側壁の係止片を、挿入係合を可能とする長さ方向の直線部、ならびに直線部の両端が底面に延びる屈曲部からなる長孔とが形成されてなる方法が提案されている。
【０００３】
【特許文献１】特開平１１−２８９６３２号公報
【発明の開示】
【発明が解決しようとする課題】
【０００４】
前述の従来技術において、例えば特許文献１においては、底面と両側壁とによりケーブルホルダの長さ範囲にわたって抱え込むようにケーブルを保持するものであり、単芯のケーブルまたは複数芯のケーブルが保持できるものであるが、このケーブルホルダは１つのケーブルホルダに多様な信号が伝送される複数のケーブルを分離して保持することができないことにより、複数のケーブル間においてノイズや不要輻射の相互干渉を防止するために、相互干渉が懸念されるケーブルを分離して保持するには、このケーブルホルダと別体のケーブルホルダを配置する必要があるなどの問題がある。一般にＡＶ（Ａｕｄｉｏ  Ｖｉｓｕａｌ）機器やパソコン（Ｐｅｒｓｏｎａｌ  Ｃｏｍｐｕｔｅｒ）などにおいて高周波のデジタル信号が伝送されるフラットケーブルと低周波のアナログ信号が伝送されるばら線は分離して保持させることが望ましく、また、デジタル信号が伝送されるフラットケーブルからの不要輻射を低減させるためには、別途シールド部材をフラットケーブルに取り付けるなどが必要である。本発明は、伝送される信号の種類別に使用されるケーブルを分離して保持することができないとか、不要輻射が懸念されるフラットケーブルの配線方法などの従来技術における問題点を改善して、１つのケーブル保持具に前記信号種類の異なる２種類のケーブルを保持可能とし、併せてノイズや不要輻射の相互干渉を防止することが出来るケーブル保持具を備えた電子機器を得るものである。
【課題を解決するための手段】
【０００５】
請求項１のケーブル保持具を備えた電子機器は、配線した複数芯で構成するフラットケーブルと複数のばら線とを保持するケーブル保持具を備えた電子機器であって、前記ケーブル保持具の先端に前記フラットケーブルを互い違いに配置して挟持するスリット部を形成すると共に、前記先端の反対側に位置する後端側に前記複数のばら線を束ねた状態で保持する切り欠き部を形成したことを特徴とする。
【０００６】
請求項１の構成によれば、配線した複数芯で構成するフラットケーブルと複数のばら線とを保持するケーブル保持具を備えた電子機器であって、前記ケーブル保持具の先端に前記フラットケーブルを互い違いに配置して挟持するスリット部が形成されると共に、前記先端の反対側に位置する後端側に前記複数のばら線を束ねた状態で保持する切り欠き部が形成される。
【０００７】
請求項２のケーブル保持具を備えた電子機器は、請求項１記載のケーブル保持具を備えた電子機器において、前記ケーブル保持具をＬ字型に形成したことを特徴とする。
【０００８】
請求項２の構成によれば、前記ケーブル保持具は、フラットケーブルを保持するスリット部とばら線を束ねた状態で保持する切り欠き部がＬ字型に形成される。
【０００９】
請求項３のケーブル保持具手段を備えた電子機器は、請求項１記載のケーブル保持具を備えた電子機器において、前記ケーブル保持具を平板状に形成したことを特徴とする。
【００１０】
請求項３の構成によれば、前記ケーブル保持具は、フラットケーブルを保持するスリット部とばら線を束ねた状態で保持する切り欠き部が平板状に形成される。
【００１１】
請求項４のケーブル保持具手段を備えた電子機器は、請求項１から３の何れか１項に記載のケーブル保持具を備えた電子機器において、前記ケーブル保持具の先端に係止ストッパを形成したことを特徴とする。
【００１２】
請求項４の構成によれば、前記ケーブル保持具の先端にはフラットケーブルの離脱を防止する係止ストッパが形成される。
【発明の効果】
【００１３】
請求項１の発明によれば、このケーブル保持具は、その先端に前記フラットケーブルを互い違いに配置して挟持するスリット部が形成されるので、ケーブル保持具の先端を互い違いに押し広げてフラットケーブルを挿通する。或いは、フラットケーブルを撓ませてスリット部に互い違いに挿通することにより、フラットケーブルを簡単に且つ安定して挟持することが出来る。また、ケーブル保持具の後端側に形成された切り欠き部により、前記複数のばら線を束ねた状態で簡単に一括して保持することが出来る。また、これにより、フラットケーブルは先端に、複数のばら線は後端側にと、分離しながら１つのケーブル保持具にその両方を保持することが出来ると共に、デジタル信号を伝送するフラットケーブルやアナログ信号を伝送するばら線など、信号種類の異なる２種類のケーブルを分離しながら保持することが出来るので、信号の異なるケーブル間で生じ易いノイズや不要輻射による相互干渉を防止することが出来る。
【００１４】
請求項２の発明によれば、前記ケーブル保持具は、フラットケーブルを保持するスリット部とばら線を束ねた状態で保持する切り欠き部がＬ字型に形成されるので、電子機器内の狭い空間に配置してフラットケーブルと複数のばら線を保持することが出来る。また、このケーブル保持具を電子機器のシャーシの側板と接するようにフラットケーブル保持部を縦型に配置すれば、このシャーシの側板によりフラットケーブルに伝送されるデジタル信号による不要輻射を低減させることが出来る。これとは逆に、フラットケーブル保持部を電子機器のシャーシ底板に接するように配置すれば、同様にシャーシの底板によりフラットケーブルに伝送されるデジタル信号による不要輻射を低減させることが出来る。
【００１５】
請求項３の発明によれば、前記ケーブル保持具は、フラットケーブルを保持するスリット部とばら線を束ねた状態で保持する切り欠き部が平板状に形成されるので、高さ方向に配置が困難な電子機器内部にも容易に配置することが出来る。また、フラットケーブルは電子機器のシャーシ底板に接するように配置することが出来るので、シャーシの底板によりフラットケーブルに伝送されるデジタル信号による不要輻射を低減させることが出来る。
【００１６】
請求項４の発明によれば、前記ケーブル保持具の先端にはフラットケーブルの離脱を防止する係止ストッパが形成されるので、電子機器内に配線されるフラットケーブルはスリット部によって挟持され、係止ストッパによって離脱を阻まれることにより安定して保持することが出来る。
【発明を実施するための最良の形態】
【００１７】
以上のように、本発明は、異なる周波数の信号が伝送されるなどにより線種の異なるケーブルを１つの保持具に分離して保持すると共に、ケーブルから放射される不要輻射を防止するケーブル保持具を備えた電子機器に関するものであるが、以下の実施例の説明において、実施例１はＬ字型に形成されたケーブル保持具をＤＶＤ装置に取り付けて配線するものであり、実施例２は平板状型に形成したケーブル保持具をＤＶＤ装置に取り付けたものである。また、実施例３はＬ字型のケーブル保持具を係止爪により係止する構造である。これらにより、本発明の詳細について説明する。
【００１８】
以下、本発明を実施するための最良の形態としての実施例を図１〜図１４により以下に説明する。もちろん、本発明は、その発明の趣旨に反さない範囲で、実施例において説明した以外のものに対しても容易に適用可能なことは説明を要するまでもない。
【実施例１】
【００１９】
図１は本発明における実施例１を示すケーブル保持具にフラットケーブルとばら線を保持させた状態を示す斜視図であり、図２はケーブル保持具の平面図である。図３はケーブル保持具の側面図であり、図４はケーブル保持具の正面図である。図５はＤＶＤ装置のシャーシ平面図であり、図６はシャーシに形成した凸部の拡大側断面図である。図７はシャーシにケーブル保持具を取り付けた状態を示す平面図であり、図８はシャーシにケーブル保持具を取り付けた状態を示す拡大平面図である。図９はケーブル保持具にケーブルを保持させて配線した状態を示す平面図であり、図１０はケーブル保持具をＤＶＤユニットで押さえ込んで固定した状態を示す拡大側断面図である。
【００２０】
図１から図４により、ケーブル保持具の形状と機能について説明するが、これに先立ち、図２と図３により、ケーブル保持具の基部の側端から立設する側壁に形成された、ばら線保持部の概要について説明する。図２の平面図に示すケーブル保持具４０は、弾性を有する合成樹脂材のＡＢＳ樹脂などで形成され、この基部４１の前方に係止片４２が突き出して形成され、基部４１の両側には側壁６１が２枚形成されている。また、基部４１の後方には前記２枚の側壁６１の間隔より狭幅に形成され、フラットケーブル７０を互い違いに挟持するスリット部であるフラットケーブル保持部５０が、基部４１の後端から立設した立ち壁６５によるばら線用ストッパ６４に延設して立設配置されている。この２枚の側壁６１と前記フラットケーブル保持部５０との隙間は、それぞれ図１に示すばら線８０が容易に通過可能な隙間を確保している。続いて、図３の側面図によれば、前記側壁６１の後端から前方に向けて横に切り欠き６２が施され、図１に示す複数のばら線８０を束ねた状態で保持する切り欠き部であるばら線保持部６０が形成されている。このばら線保持部６０の空間面積（Ｓ）と、図１による所定本数のばら線を束ねた断面積（ｓ）との関係は、（Ｓ）＞（ｓ）の関係にある。また、ばら線保持部６０の切り欠き６２開口に対向して立ち壁６５が立設してあり、ばら線８０が、このばら線保持部６０から離脱することを防止するばら線用ストッパ６４を形成している。これにより、前記複数のばら線８０を取り付けるときは、ばら線８０を束ねて撓ませ、前記立ち壁６５を迂回させながら前記２枚の側壁６１とばら線用ストッパ６４を形成する立ち壁６５との隙間を経由して前記切り欠き６２によるばら線保持部６０に挿通させ、ばら線８０の撓みを略直線に延ばすといった簡単な操作で図１に示すように複数のばら線８０を一括で収納保持させることが出来る。一方、収納保持されたばら線８０をこのケーブル保持具４０から取り外す時は、収納時の操作とは逆順の操作によってばら線０８を撓ませて前記切り欠き６２から引き出すだけで容易に取り出すことが出来る。因みに、このケーブル保持具４０は基部４１の両側壁６１に形成したばら線保持部６０と、ばら線保持部６０を形成する切り欠き６２の開口側に立設するばら線用ストッパ６４となる立ち壁６５を延設してフラットケーブル保持部５０が形成された略Ｌ字形のケーブル保持具４０である。
【００２１】
次に図４によりフラットケーブル保持部５０について説明する。前記立ち壁６５を延設して縦方向に３枚の保持板５２が形成されている。この３枚の保持板５２のうち、中央の保持板５２の先端は前方に向けて突き出したフラットケーブル用ストッパ５３が形成されている。また、前記３枚の保持板５２の間には２本のスリット５１が切り欠いて形成されている。ここで図１に示すフラットケーブル７０と図４に示すフラットケーブル保持部５０との関係を説明する。フラットケーブル７０の厚さ（ｗ）とフラットケーブル保持部５０におけるスリット幅（Ｗ）とは、（Ｗ）＞（ｗ）の関係にあり、スリット５１にフラットケーブル７０が容易に挿通することが可能となるようにスリット幅（Ｗ）が設定されている。また、フラットケーブル７０の幅（ｔ）と保持板５２における有効長さ（Ｔ）との関係は、（Ｔ）＞（ｔ）であり、フラットケーブル７０を２本のスリット５１に容易に挿通することが出来る。これにより、フラットケーブル７０をフラットケーブル保持部５０に取り付けるときは、フラットケーブル７０を撓ませてスリット５１に挿通し、撓みを戻して略平坦にする。或いは、両側の２枚の保持板５２を引き隙間を広げて挿通する。或いは中央の保持板５２を押し広げて挿通するなど、３枚の保持板５２を交互に押し広げてフラットケーブル７０を挿通することが出来る。また、押し広げられた３枚の保持板５２が互いに平坦位置に戻ろうと付勢されるＡＢＳ樹脂など合成樹脂材の弾性によって、３枚の保持板５２がフラットケーブル７０を交互に挟み込むことにより安定して挟持することが出来る。さらに、挟持されたフラットケーブル７０は、フラットケーブル用ストッパ５３により離脱を防止することが出来るので、ＤＶＤ装置１０内に配線されるフラットケーブル７０を長期的に安定して保持することが出来る。これにより、図１に示すように、１つのケーブル保持具４０にフラットケーブル７０と複数のばら線８０を分離しながら両方を保持することが出来る。また、このケーブル保持具４０からフラットケーブル７０を取り外す時は、フラットケーブル用ストッパ５３が形成された中央の保持板５２を押し広げるだけで簡単に取り出すことが出来る。
【００２２】
続いて図５から図１０により、ＤＶＤ装置１０のシャーシ底板１３に対するケーブル保持具４０の取り付け構造について説明する。図５はＤＶＤ装置１０の右側面を手前側としたシャーシ底板１３を示している。このシャーシ１２は導電性を有する金属からなり、ＤＶＤ装置１０内において略中央に図示しないＤＶＤユニットが、その左右には図示しないプリント基板が配置される。そのＤＶＤユニットの後方に、左右に配置される前記プリント基板を電気的に接続するばら線とフラットケーブルが配線されるので、これらを保持するケーブル保持具４０を取り付けるためにシャーシ底板１３を切り起こして凸部１５が２箇所に形成されている。
【００２３】
次に、図６により、シャーシ底板１３に形成された前記凸部１５について説明する。この凸部１５はシャーシ底板１３を切り起こして２箇所に形成されており、図５に示すシャーシ１２の後方に向けて切り起しが開口し、ここにケーブル保持具４０の係止片４２が挿嵌されて位置決めすることが出来る。
【００２４】
図７と図８により、ＤＶＤ装置１０のシャーシ１２に前記ケーブル保持具４０を取り付けた状態について説明する。図７に示す前記シャーシ底板１３の２箇所に設けた前記凸部１５に、前記ケーブル保持具４０の係止片４２が挿嵌され、ここに取り付けられた前記略Ｌ字形のケーブル保持具４０は、基部４１をシャーシ底板１３に、フラットケーブル保持部５０をシャーシ１２後方のシャーシ側板１４に接して配置されている。このケーブル保持具４０を挿嵌して取り付けるときは、図８に示す係止片４２を先に凸部１５に挿嵌し、続いてケーブル保持具４０をシャーシ側板１４に沿わせながら押し込んで基部４１の底面がシャーシ底板１３に密着させる。このとき、係止片４２を支えるリブ４２aが弾性変形を受けてケーブル保持具４０が押し込まれると共に、押し込まれた後は元の形状に戻ろうとする復元力が付勢されて、切り起こして形成した凸部１５の端面に係止片４２が押し当てられてケーブル保持具４０は位置決めと仮固定がされる。
【００２５】
次に図９により、ＤＶＤ装置１０内におけるケーブル類７０、８０の配線状態について説明する。図９に示す１１はＤＶＤ装置１０のフロントキャビネットで、ＤＶＤ装置１０の前面に図示しない操作ボタンや表示管、ＤＶＤディスクの挿脱を行うシャッターなどが配置される。また、シャーシ１２の略中央には図示しないＤＶＤユニットが配置されるスペースが確保され、その両側にはＤＶＤ装置１０のメイン回路基板となる第１の基板２０と第２の基板２１が配置されている。第１の基板２０は主にＤＶＤ装置１０の電源回路と装置全体の制御やアナログ系の映像音声信号を処理するアナログ系回路基板であり、その後方からフラットケーブル７０とばら線８０が引き出され、第２の基板２１と接続されている。この第２の基板２１は主にＤＶＤディスク（図示略）に録画と再生を行うためのデジタル信号を処理する回路が構成された基板で、これらを接続するフラットケーブル７０と複数のばら線８０は前記ＤＶＤユニットが配置されるその後方の２箇所で、２個のケーブル保持具４０に保持されて配線されている。このＤＶＤ装置１０に配線したフラットケーブル７０は前記デジタル信号を伝送するケーブルであり、複数のばら線８０は図１０に示すＤＶＤユニット３０の機構部を駆動するためや回路に電源を供給する、或いは第１の基板２０に実装されたＣＰＵ（Ｃｅｎｔｒａｌ  Ｐｒｏｃｅｓｓｉｎｇ  Ｕｎｉｔ）による制御信号を伝送するケーブルなどである。
【００２６】
続いて図１０により、図８によって位置決めと仮固定されたケーブル保持具４０をＤＶＤユニット３０で押さえ込んで固定する方法について説明する。図１０に示すケーブル保持具４０は側壁６１に形成した段差凹部６３をＤＶＤユニット３０の底部３１が当接して押し当てられている。また、ＤＶＤユニット３０はシャーシ１２と図示しない複数箇所でビス止め固定されるため、強固に固定することが出来る。
【００２７】
以上のように実施例１によれば、このケーブル保持具４０は、先端に前記フラットケーブル７０を互い違いに配置して挟持する３枚の保持板５２と２箇所のスリット５１によるスリット部からなるフラットケーブル保持部５０が形成されるので、ケーブル保持具４０の先端の保持板５２を互い違いに押し広げてフラットケーブル７０を挿通する。或いは、フラットケーブル７０を撓ませて前記保持板５２とスリット５１に互い違いに挿通することにより、フラットケーブル７０を簡単に且つ安定して挟持することが出来る。また、ケーブル保持具４０の後端側に形成された２枚の側壁６１に形成した切り欠き部からなるばら線保持部６０により、前記複数のばら線８０を束ねた状態で簡単に一括して保持することが出来る。また、これにより、フラットケーブル７０は先端に、複数のばら線８０は後端側にと、分離しながら１つのケーブル保持具４０にその両方を保持することが出来ると共に、デジタル信号を伝送するフラットケーブル７０やアナログ信号を伝送するばら線８０など、信号種類の異なる２種類のケーブルを分離しながら保持することが出来るので、信号の異なるケーブル間で生じ易いノイズや不要輻射による相互干渉を防止することが出来る。また、この切り欠き６２の開口端側には離脱防止用のストッパ６４となる立ち壁６５が立設されており、前記複数のばら線８０を挿通するときは、ばら線８０を束ねて撓ませ、前記立ち壁６５を迂回させながら前記切り欠き６２に挿通させ、ばら線８０の撓みを略直線に延ばすといった簡単な操作で一括して収納保持させることが出来る。
【００２８】
更に、前記ケーブル保持４０は、フラットケーブル７０を保持する保持板５２とスリット５１によるスリット部からなるフラットケーブル保持部５０と、ばら線８０を束ねた状態で保持する切り欠き部によるばら線保持部６０がＬ字型に形成されるので、ＤＶＤ装置１０など電子機器内の狭い空間に配置してフラットケーブル７０と複数のばら線８０を保持することが出来る。また、このケーブル保持具４０をＤＶＤ装置１０など電子機器のシャーシ側板１４と接するように前記フラットケーブル保持部５０を縦型に配置すれば、このシャーシ側板１４によりフラットケーブル７０に伝送されるデジタル信号による不要輻射を低減させることが出来る。これとは逆に、フラットケーブル保持部５０をＤＶＤ装置１０など電子機器のシャーシ底板１３に接するように配置すれば、同様にシャーシ底板１３によりフラットケーブル７０に伝送されるデジタル信号による不要輻射を低減させることが出来る。
【００２９】
また、前記ケーブル保持具４０の保持板５２の先端にはフラットケーブル７０の離脱を防止する係止ストッパとなるフラットケーブル用ストッパ５３が形成されるので、ＤＶＤ装置１０など電子機器内に配線されるフラットケーブル７０はフラットケーブル保持部５０によって挟持され、フラットケーブル用ストッパ５３によって離脱を阻まれることにより安定して保持することが出来る。
【００３０】
このケーブル保持具４０は、基部４１に形成された係止片４２をＤＶＤ装置１０のシャーシ底板１３から切り起こした凸部１５に挿嵌して位置決めし、ＤＶＤ装置１０に配置されるＤＶＤユニット３０の底部３１を押し当てて固定することが出来るので、別体の取り付け部材を用意する必要も無く、簡単、且つ強固に取り付けることが出来る。
【００３１】
このケーブル保持具４０は、基部４１に形成された係止片４２をＤＶＤ装置１０のシャーシ底板１３から切り起こした凸部１５に挿嵌して位置決めし、ＤＶＤ装置１０に配置されるＤＶＤユニット３０の底部３１を押し当てて固定することが出来るので、別体の取り付け部材を用意する必要も無く、簡単、且つ強固に取り付けることが出来る。
【実施例２】
【００３２】
次に、本発明における実施例２について説明する。実施例２により基部の平面を延設してフラットケーブル保持部を平板状に形成したケーブル保持具について説明する。
【００３３】
図１１は、フラットケーブル保持部を平板状に形成したケーブル保持具の平面図であり、図１２はこのケーブル保持具の側面図である。図１１に示すケーブル保持具４０は実施例１とは異なり、フラットケーブル保持部５０がばら線保持部６０の切り欠き６２開口側に形成されたばら線用ストッパ６４の立ち壁６５の先に平板状方向に形成されている。その側面は図１２で示すように基部４１の平面を平板状に延設して前記立ち壁６５の底面とフラットケーブル保持部５０が形成されている。
【００３４】
続いて図１３は、ＤＶＤ装置１０の内部にフラットケーブル７０と複数のばら線８０が配線され２個のケーブル保持具４０により保持された状態を示している。実施例１における図９とＤＶＤ装置１０内の基本的な配置は類似しているが、シャーシ１２の奥行きに余裕があり、シャーシ底板１３の平面と接するようにフラットケーブル保持部５０が配置されている。ＤＶＤ装置１０の内部におけるそれぞれの配置の概要を説明すると、シャーシ１２の略中央には図示しないＤＶＤユニットが配置されるスペースが確保され、その両側にはＤＶＤ装置１０のメイン回路基板となる第１の基板２０と第２の基板２１が配置されている。第１の基板２０は主にＤＶＤ装置１０の電源回路と装置全体の制御やアナログ系の映像音声信号を処理する回路基板であり、その奥側からフラットケーブル７０とばら線８０が引き出され、第２の基板２１と接続されている。この第２の基板２１は主にＤＶＤディスク（図示略）に録画と再生を行うためのデジタル信号を処理する回路が構成された基板で、これらを接続するフラットケーブル７０と複数のばら線８０は前記ＤＶＤユニットが配置されるその後方の２箇所で、２個のケーブル保持具４０に保持されて配線されている。このＤＶＤ装置１０に配線したフラットケーブル７０は前記デジタル信号を伝送するケーブルであり、複数のばら線８０は図１０に示すＤＶＤユニット３０の機構部を駆動するためや回路に電源を供給する、或いは第１の基板２０に実装されたＣＰＵによる制御信号などのアナログ信号を伝送するケーブルである。
【００３５】
以上のように実施例２によれば、このケーブル保持具４０は、フラットケーブル７０を保持するスリット部であるフラットケーブル保持部５０とばら線を束ねた状態で保持する切り欠き部であるばら線保持部６０が平板状に形成されるので、高さ方向に配置が困難なＤＶＤ装置１０などの電子機器内部にも容易に配置することが出来る。また、フラットケーブル７０は前記ＤＶＤ装置１０など電子機器のシャーシ底板１３に接するように配置することが出来るので、シャーシ底板１３によりフラットケーブル７０に伝送されるデジタル信号による不要輻射を低減させることが出来る。
【実施例３】
【００３６】
次に、本発明における実施例３について説明する。実施例３により異なるケーブル保持具４０の取り付け構造に関して説明する。
【００３７】
図１４はシャーシにケーブル保持具を取り付けた状態を示す側断面図であり、ケーブル保持具４０の基本的な形状は実施例１によるケーブル保持具４０と同じであるが、シャーシ１２との取り付け構造のみが異なるものである。このケーブル保持具４０の基部４１底面には、位置決め用の凹部４４に係止爪となるフック４３が形成されており、この凹部４４と対向するシャーシ底板１３には位置決め用の段差凸部１７が形成され、前記凹部４４と段差凸部１７により位置決めされ、前記フック４３をシャーシ底板１３の段差凸部１７に形成された係止孔１６の開口に挿通して固定されている。
【００３８】
以上のように実施例３によれば、このケーブル保持具４０は、基部４１の底面の凹部４４に形成したフック４３を、ＤＶＤ装置１０のシャーシ底板１３の段差凸部１７に形成された係止孔１６に挿嵌するだけで、凹部４４と段差凸部１７によって位置決めされ、フック４３が係止孔１６と係合することにより、位置決めと固定を同時に行うことが出来るので、別体の取り付け部材を用意する必要も無く、簡単、且つ強固に取り付けることが出来る。また、本実施例において、ケーブル保持具４０の位置決め手段は、凹部４４と段差凸部１７との挿嵌によるものであるが、この他に、シャーシ底板１３に位置決め用の貫通孔、或いは凹部を設け、基部４１から位置決め用の突起を設けて、これらを嵌合させて位置決めする。または、シャーシ底板１３に切り起こしたリブを形成し、リブと対向位置の基部４１底面に凹部を設けて嵌合させるなど、位置決め方法を変更するなども可能である。
【００３９】
以上、本実施例を詳述したが、本発明の要旨の範囲内で種々の変形実施が可能である。例えば、フラットケーブル７０とばら線８０とを保持するケーブル保持具４０を備えた電子機器はＤＶＤ装置１０に限定されず、ＨＤＤ装置、或いはＤＶＤとＨＤＤとの複合機、及び、これらと表示モニタが組み合わされた装置、及びデジタルテレビやパソコンなど、異なる信号が伝送される２種類のケーブル７０、８０が配線される電子機器であればよく、また、電子機器内におけるケーブル７０、８０類の配線位置にケーブル保持具４０が配置されて、シャーシ底板１３、或いはシャーシ側板１４とフラットケーブ７０とが接するようにケーブル保持具４０が配置されことが可能な状態であればケーブル保持具４０の取り付け方向を変更するなど、適宜選定すればよい。
【図面の簡単な説明】
【００４０】
【図１】本発明の実施例１を示すケーブル保持具にフラットケーブルとばら線を保持させた状態を示す斜視説明図である。
【図２】本発明におけるケーブル保持具の平面を示す平面説明図である。
【図３】本発明におけるＬ字型に形成されたケーブル保持具の側面説明図である。
【図４】本発明におけるケーブル保持具の正面を示す正面説明図である。
【図５】ＤＶＤ装置のシャーシを示す平面説明図である。
【図６】本発明におけるシャーシに形成した凸部を示す拡大側断面説明図である。
【図７】本発明におけるシャーシにケーブル保持具を取り付けた状態を示す平面説明図である。
【図８】本発明におけるシャーシにケーブル保持具を取り付けた状態を示す拡大平面説明図である。
【図９】本発明におけるケーブル保持具にケーブル類を保持させて配線した状態を示す平面説明図である。
【図１０】本発明におけるケーブル保持具にケーブル類を保持させ、ＤＶＤユニットで押さえ込んで固定した状態を示す拡大側断面説明図である。
【図１１】実施例２を示す平板状に形成されたケーブル保持具の平面を示す平面説明図である。
【図１２】本発明におけるケーブル保持具の側面を示す側面説明図である。
【図１３】本発明におけるケーブル保持具にケーブル類を保持させて配線した状態を示す平面説明図である。
【図１４】本発明の実施例３を示す基部にフックを形成したケーブル保持具をシャーシに取り付けた状態を示す平面説明図である。
【符号の説明】
【００４１】
１０        ＤＶＤ装置
１２        シャーシ
１３        シャーシ底板
１４        シャーシ側板
１５        凸部
１６        係止孔
３０        ＤＶＤユニット
３１        底部
４０        ケーブル保持具
４１        基部
４２        係止片
４３        フック
５０        フラットケーブル保持部（スリット部）
５１        スリット
５２        保持板
５３        フラットケーブル用ストッパ（係止ストッパ）
６０        ばら線保持部（切り欠き部）
６１        側壁
６２        切り欠き
６４        ばら線用ストッパ
６５        立ち壁
７０        フラットケーブル
８０        ばら線
【図１】
2006238557.tif 000003
【図２】
2006238557.tif 000004
【図３】
2006238557.tif 000005
【図４】
2006238557.tif 000006
【図５】
2006238557.tif 000007
【図６】
2006238557.tif 000008
【図７】
2006238557.tif 000009
【図８】
2006238557.tif 000010
【図９】
2006238557.tif 000011
【図１０】
2006238557.tif 000012
【図１１】
2006238557.tif 000013
【図１２】
2006238557.tif 000014
【図１３】
2006238557.tif 000015
【図１４】
2006238557.tif 000016